(57)【要約】      （修正有）【課題】タンク、等に収容されている水の中に配置されて排水のために使用される水中ポンプに組み合わされて、当該水中ポンプの吸入口にゴミなどの異物が吸引されないようにする水中ポンプ濾過カバーを提供する。【解決手段】有底で、周壁３７にパンチングメタル又は金網からなる濾過部を備えている筒状の濾過筒３２と、当該濾過筒３２を内側に収容し、支持する支持枠体３１とからなり、前記濾過筒３２の内側に水中ポンプを収容した状態で、前記水中ポンプによる吸引が行われる水の中に配置される水中ポンプ濾過カバー３０であって、前記水中ポンプによる前記水の吸引・排出中に、前記濾過筒３２の上端が、前記水の水面より上側にまで伸びている。【選択図】図１
0003196914.tif 000002
【実用新案登録請求の範囲】
【請求項１】
有底で、周壁にパンチングメタル又は金網からなる濾過部を備えている筒状の濾過筒と、
当該濾過筒を内側に収容し、支持する支持枠体とからなり、
前記濾過筒の内側に水中ポンプを収容した状態で、前記水中ポンプによる吸引が行われる水の中に配置される水中ポンプ濾過カバーであって、
前記水中ポンプによる前記水の吸引・排出中に、前記濾過筒の上端が、前記水の水面より上側にまで伸びている
水中ポンプ濾過カバー。
【請求項２】
前記支持枠体は、前記水が収容されている収容槽の壁部への取付用の取付け部を備えていて、前記収容槽に対して取り付け、取り外し可能である
ことを特徴とする請求項１記載の水中ポンプ濾過カバー。
【請求項３】
有底で、周壁にパンチングメタル又は金網からなる濾過部を備えている筒状の濾過筒からなり、
前記濾過筒の内側に水中ポンプを収容した状態で、前記水中ポンプによる吸引が行われる水の中に配置される水中ポンプ濾過カバーであって、
前記水中ポンプから伸びていて前記水中ポンプが吸引する前記水が排出されていく排水ホースが挿通する筒体を上部に備えている蓋部によって前記濾過筒の上端開口が密閉封鎖されており、
前記水中ポンプによる前記水の吸引・排出中に、前記蓋部の上面が前記水の水面より下側に位置し、前記筒体の上端が前記水の水面より上側にまで伸びている
水中ポンプ濾過カバー。
【請求項４】
前記蓋部は、前記濾過筒上端開口に脱着可能であることを特徴とする請求項３記載の水中ポンプ濾過カバー。
【請求項５】
前記蓋部は、前記水が収容されている収容槽の壁部への取付用の取付け部を備えていて、前記収容槽に対して取り付け、取り外し可能である
ことを特徴とする請求項３又は４記載の水中ポンプ濾過カバー。
【請求項６】
前記濾過筒を内側に収容し、支持する支持枠体を更に備えており、当該支持枠体は、前記水が収容されている収容槽の壁部への取付用の取付け部を備えていて、前記収容槽に対して取り付け、取り外し可能である
ことを特徴とする請求項３又は４記載の水中ポンプ濾過カバー。
【請求項７】
前記濾過部が備えている水通過用の隙間の大きさは、直径０．１〜１．５ｍｍの大きさに相当する開口又は網目であることを特徴とする請求項１乃至６のいずれか一項記載の水中ポンプ濾過カバー。
【請求項８】
前記濾過部が備えている底面は、当該底面の一部に、パンチングメタル又は金網からなる底面濾過部を備えていることを特徴とする請求項１乃至６のいずれか一項記載の水中ポンプ濾過カバー。
【考案の詳細な説明】
【技術分野】
【０００１】
本考案は、水中ポンプ濾過カバーに関する。特に、所定の水の中に水中ポンプが投入されて当該水中ポンプによる前記水の吸引が行われる際に、当該、水中ポンプに組み合わされて、当該水中ポンプの吸入口に前記水の中に混入しているゴミなどの異物、等が吸入されることを防止する水中ポンプ濾過カバーに関する。
【背景技術】
【０００２】
タンク、等に収容されている水の中に配置されて排水のために使用される水中ポンプに組み合わされて、当該水中ポンプの吸入口に石塊、土塊、草木などが吸引されないようにする目的で使用される水中ポンプ濾過カバーが従来から知られている。
【０００３】
例えば、特許文献１には、水中ポンプよりも大径の網構造の筒形状に形成されたカバー本体と、カバー本体の内部に設けられ、水中ポンプをカバー本体の軸方向へ着脱自在に支持する支持部とからなる水中ポンプの濾過カバーが提案されている。
【先行技術文献】
【特許文献】
【０００４】
【特許文献１】実開平２−１０３１９６号公報
【考案の概要】
【考案が解決しようとする課題】
【０００５】
この考案は、所定の水の中に水中ポンプが投入されて当該水中ポンプによる前記水の吸引が行われる際に、当該水中ポンプに組み合わされて、当該水中ポンプの吸入口に前記水の中に混入しているゴミなどの異物、等が吸入されることを防止する水中ポンプ濾過カバーを提案することを目的にしている。
【０００６】
ここで、前記水中ポンプが投入され、前記水中ポンプによる吸引が行われる水としては、例えば、海から採取してきた海藻類と水（例えば、海水など）との混合液などがある。
【０００７】
なお、本明細書、実用新案登録請求の範囲において、海藻類とは、海苔、めかぶ、わかめ、ひじき、とさかのり及び、海苔養殖において海苔養殖場から採取した生海苔を含み、これらに類する、海から採取してきて、食用商品として供され得る海藻のことをいう。
【課題を解決するための手段】
【０００８】
請求項１記載の考案は、
有底で、周壁にパンチングメタル又は金網からなる濾過部を備えている筒状の濾過筒と、
当該濾過筒を内側に収容し、支持する支持枠体とからなり、
前記濾過筒の内側に水中ポンプを収容した状態で、前記水中ポンプによる吸引が行われる水の中に配置される水中ポンプ濾過カバーであって、
前記水中ポンプによる前記水の吸引・排出中に、前記濾過筒の上端が、前記水の水面より上側にまで伸びている
水中ポンプ濾過カバーである。
【０００９】
請求項２記載の考案は、
前記支持枠体は、前記水が収容されている収容槽の壁部への取付用の取付け部を備えていて、前記収容槽に対して取り付け、取り外し可能である
ことを特徴とする請求項１記載の水中ポンプ濾過カバーである。
【００１０】
請求項３記載の考案は、
有底で、周壁にパンチングメタル又は金網からなる濾過部を備えている筒状の濾過筒からなり、
前記濾過筒の内側に水中ポンプを収容した状態で、前記水中ポンプによる吸引が行われる水の中に配置される水中ポンプ濾過カバーであって、
前記水中ポンプから伸びていて前記水中ポンプが吸引する前記水が排出されていく排水ホースが挿通する筒体を上部に備えている蓋部によって前記濾過筒の上端開口が密閉封鎖されており、
前記水中ポンプによる前記水の吸引・排出中に、前記蓋部の上面が前記水の水面より下側に位置し、前記筒体の上端が前記水の水面より上側にまで伸びている
水中ポンプ濾過カバーである。
【００１１】
請求項４記載の考案は、
前記蓋部は、前記濾過筒上端開口に脱着可能であることを特徴とする請求項３記載の水中ポンプ濾過カバーである。
【００１２】
請求項５記載の考案は、
前記蓋部は、前記水が収容されている収容槽の壁部への取付用の取付け部を備えていて、前記収容槽に対して取り付け、取り外し可能である
ことを特徴とする請求項３又は４記載の水中ポンプ濾過カバーである。
【００１３】
請求項６記載の考案は、
前記濾過筒を内側に収容し、支持する支持枠体を更に備えており、当該支持枠体は、前記水が収容されている収容槽の壁部への取付用の取付け部を備えていて、前記収容槽に対して取り付け、取り外し可能である
ことを特徴とする請求項３又は４記載の水中ポンプ濾過カバーである。
【００１４】
請求項７記載の考案は、
前記濾過部が備えている水通過用の隙間の大きさは、直径０．１〜１．５ｍｍの大きさに相当する開口又は網目であることを特徴とする請求項１乃至６のいずれか一項記載の水中ポンプ濾過カバーである。
【００１５】
請求項８記載の考案は、
前記濾過部が備えている底面は、当該底面の一部に、パンチングメタル又は金網からなる底面濾過部を備えていることを特徴とする請求項１乃至６のいずれか一項記載の水中ポンプ濾過カバーである。
【考案の効果】
【００１６】
この考案によれば、所定の水の中に水中ポンプが投入されて当該水中ポンプによる前記水の吸引が行われる際に、当該水中ポンプに組み合わされて、当該水中ポンプの吸入口に前記水の中に混入しているゴミなどの異物が吸入されることを防止する水中ポンプ濾過カバーを提供することができる。
【００１７】
特に、海から採取してきた海藻類を商品化・製品化するまでの処理工程において使用される水中ポンプと一緒に使用される水中ポンプ濾過カバーを提供することができる。
【００１８】
前記のような処理行程において、例えば、海から採取してきた、海苔、めかぶ、わかめ、ひじき、とさかのり、等の海藻類が混入している水（例えば、海水など）を撹拌、等することによって前記海藻類に対する洗浄処理を行っている際に、異物、例えば、前記海藻類などから遊離してくる微小生物（エビや虫）、貝殻の破片、砂、ゴミ、などが、前記水中ポンプの吸入口に吸い込まれないようにする水中ポンプ濾過カバーを提供することができる。
【００１９】
また、前記のような処理行程において、例えば、海苔養殖場から採取してきた生海苔あるいは、この生海苔をミンチ化したものと、海水などの水との混合液である生海苔混合液を、海苔抄機に供給する前の工程で前記生海苔混合液を適度の濃度に調整すべく、必要な場合に、前記水中ポンプを用いて水の吸引を行う場合に、前記水中ポンプの吸入口に異物、例えば、海苔原藻（海藻小葉）が吸引されることを防止する水中ポンプ濾過カバーを提供することができる。
【図面の簡単な説明】
【００２０】
【図１】本考案の水中ポンプ濾過カバーの一実施形態を表す斜視図。
【図２】支持枠体に収容、支持されていない状態の濾過筒の一部を省略した側面図。
【図３】濾過筒を上側に抜き取った状態の支持枠体の側面図。
【図４】濾過筒を上側に抜き取った状態の支持枠体の平面図。
【図５】濾過筒を上側に抜き取った状態の支持枠体の図３中、右側から見た側面図。
【図６】本考案の一実施形態の水中ポンプ濾過カバーを水中ポンプによる吸引が行われる水が収容されている収容槽の壁面上部に取り付ける状態を説明する斜視図。
【図７】本考案の一実施形態の水中ポンプ濾過カバーを水中ポンプによる吸引が行われる水が収容されている収容槽の壁面上部に取り付ける状態を説明する一部を省略した側面図。
【図８】本考案の一実施形態の水中ポンプ濾過カバーが使用される一実施形態を説明する概略断面図。
【図９】本考案の水中ポンプ濾過カバーの他の実施形態での使用状態を説明する一部を省略した斜視図。
【図１０】本考案の水中ポンプ濾過カバーにおける濾過筒の底面の一実施形態を表す平面図。
【考案を実施するための形態】
【００２１】
図１は、本考案の一実施形態を表す斜視図である。
【００２２】
この実施形態の水中ポンプ濾過カバー３０は、濾過筒３２と、支持枠体３１とからで構成されている。
【００２３】
濾過筒３２は、底面３６を有する有底の筒状体である。筒状体の周壁３７は濾過部を構成している。この濾過部は、テンレス製のカゴ（籠）のような金網製あるいは、パンチング加工（孔あけ）が施された板状あるいはシート状の金属材料によって形成することができる。
【００２４】
なお、本明細書、実用新案登録請求の範囲、要約書において、「パンチング加工（孔あけ）が施された板状あるいはシート状の金属材料」を「パンチングメタル」と表現する。
【００２５】
図１図示の実施形態では、濾過筒３２は、テンレス製の網からなる、金網製の周壁３７を備えている。
【００２６】
図２図示の実施形態では、濾過筒３２は、パンチングメタル製の周壁３７を備えている。パンチング加工（孔あけ）によって形成した孔の大きさが非常に小さいため、図２では、パンチング加工（孔あけ）によって形成した孔の図示を省略している。
【００２７】
図１では、濾過筒３２の上下方向のほぼ全体の周壁３７を金網製にしているが、周壁３７の上下方向における一部の部分（領域）を金網製あるいは、パンチングメタル製にしても良い。
【００２８】
金属製の支持枠体３１は、濾過筒３２を内側に収容し、支持するものである。
【００２９】
図示の実施形態では、濾過筒３２を内側に収容できる大きさの径を有する上部支持リング３４ａ、下部支持リング３４ｂを、これらの上部支持リング３４ａ、下部支持リング３４ｂ内に収容される濾過筒３２の周壁３７に沿って上下方向に伸びる４本の縦支持ロッド３３ａ、３３ｂ、３３ｃ、３３ｄで結合し、縦支持ロッド３３ａ、３３ｂの下端同士を底部横支持ロッド３５ａ、縦支持ロッド３３ｃ、３４ｄの下端同士を底部横支持ロッド３５ｂで結合して、金属製の支持枠体３１を構成している。
【００３０】
支持枠体３１内に収容された濾過筒３２の底面３６の下側が、底部横支持ロッド３５ａ、底部横支持ロッド３５ｂによって支持される。
【００３１】
この実施形態の水中ポンプ濾過カバー３０は、例えば、図８に示したように、濾過筒３２の内側に水中ポンプ３を収容した状態で、水中ポンプ３による吸引処理が行われる水、例えば、海苔養殖場から採取してきた生海苔あるいは、当該生海苔をミンチ化したものと、水（例えば、海水）との混合液である生海苔混合液１１ａの中に配置されて使用される。
【００３２】
図８図示の状態で、水中ポンプ３を作動させ、水を吸引して、排水ホース４を介して、矢印２２（図８）で示すように、水を排出する。
【００３３】
例えば、海苔養殖場から採取してきた生海苔あるいは、この生海苔をミンチ化したものと、海水などの水との混合液である生海苔混合液を、海苔抄機に供給する前の工程で前記生海苔混合液を適度の濃度に調整すべく、必要な場合に、水中ポンプ３を用いて水の吸引、排出を行う。
【００３４】
この際、水を吸引する動作を行う水中ポンプ３の吸入口に生海苔（例えば、海苔小葉、など）などが吸引されることを防止するために用いられるものが、この実施形態の水中ポンプ濾過カバー３０である。
【００３５】
そこで、筒状体からなる濾過筒３２の濾過部を構成する周壁３７が備えている水通過用の隙間の大きさは、水中ポンプ３の吸入口に生海苔（（例えば、海苔小葉、など）などが吸引されることを防止し、一方で、水中ポンプ３による水の吸引、排出が十分に行い得る大きさに設定することになる。
【００３６】
すなわち、濾過筒３２の濾過部を構成する周壁３７の外部から、水中ポンプ３が存在している濾過筒３２の内部側に向かって水は自由に通過、流動できるが、海苔原藻（海苔小葉）などは、通過、流動できない大きさ（サイズ）にしておけばよい。
【００３７】
例えば、濾過部を構成する周壁３７が備えている水通過用の隙間の大きさは、直径０．１〜１．５ｍｍの大きさに相当する開口又は網目にすることができる。
【００３８】
なお、パンチング加工（孔あけ）によって形成する孔の形状は、図２では図示を省略しているが、丸孔、楕円孔、正方形・長方形・ひし形、等の矩形の孔、等、種々の形状にすることができる。
【００３９】
図示の実施形態では、上部支持リング３４ａ、下部支持リング３４ｂに、それぞれ、連結片部３８ａ、３８ｂを介して、金属製の取付板３８が固定されている。取付板３８が取り付け金具となる。
【００４０】
取付板３８を介して、支持枠体３１を、生海苔混合液収容槽２に対して、取付け、取り外し可能であり、これによって、濾過筒３２の内側に水中ポンプ３が収容されている状態の水中ポンプ濾過カバー３０を、生海苔混合液収容槽２に対して、取付け、取り外し可能である。
【００４１】
図示の実施形態では、取付板３８は縦方向に伸びる取付溝３８ｃを備えており、取付金具３９、取付けボルト４０、取付けナット４１、４１を備えている取付具４２を用いて、図７図示のように、生海苔混合液収容槽２の側壁上端に、濾過筒３２の内側に水中ポンプ３が収容されている状態の水中ポンプ濾過カバー３０を取付けることができる。
【００４２】
図７、図８図示のように、濾過筒３２の内側に水中ポンプ３を収容した状態で、生海苔と水（例えば、海水）との混合液である生海苔混合液１１ａの中に配置される水中ポンプ濾過カバー３０は、水中ポンプ３による水の吸引・排出中に、濾過筒３２の上端３５が、生海苔混合液１１ａの水面１１ｃより上側にまで伸びている。
【００４３】
図８を用いて、本考案の水中ポンプ濾過カバー３０の使用例の一形態を説明する。
【００４４】
濃度調整用のタンクとして使用される生海苔混合液収容槽２に、ミンチ化された海苔原藻と、水とが収容されている。以下、「生海苔混合液収容槽２」を単に「収容槽２」と表すことがある。
【００４５】
収容槽２からは移送パイプ９ａ、９ｂを介して、ミンチ化されている海苔原藻と水との混合液である生海苔混合液１１ａが、矢印２０、２１で示すように海苔抄機（不図示）に移送されていく。
【００４６】
この際、収容槽２内における、ミンチ化されている海苔原藻と水との混合液（生海苔混合液１１ａ）の濃度を測定しておいて、濃度が高い場合には、収容槽２内に水を供給して収容槽２内の水の量を増やして、ミンチ化されている海苔原藻と水との混合液（生海苔混合液１１ａ）の濃度を低下させる。一方、濃度が低い場合には、収容槽２内の水を吸引して排水し、ミンチ化されている海苔原藻と水との混合液（生海苔混合液１１ａ）の濃度を適切な濃度にまで高めている。
【００４７】
図８図示の例では、例えば、移送パイプ９ａ、９ｂの途中に介装されているセンサ１０で濃度を検知し、濃度が高い場合には、濃度調整機本体１からの指示で、水供給槽５に収容されている水１１ｂを給水ポンプ６で吸引し、給水パイプ７、ノズル８を介して矢印２３で示すように収容槽２内に供給し、収容槽２内における水の量を増加させる。一方、センサ１０で検知した、収容槽２内におけるミンチ化されている海苔原藻と水との混合液（生海苔混合液１１ａ）の濃度が低い場合には、濃度調整機本体１からの指示で、液収容槽２内に配備されている水中ポンプ３を作動させ、収容槽２内の水を吸引し、排水ホース４を介して、矢印２２で示すように排水を行い、収容槽２内の水の量を減少させ、収容槽２内における、ミンチ化されている海苔原藻と水との混合液（生海苔混合液１１ａ）の濃度を適切な濃度にまで高めている。
【００４８】
水中ポンプ３の周囲は、水中ポンプ３とは分離されて生海苔混合液収容槽２内に配置されている、水中ポンプ濾過カバー３０の濾過筒３２で外側から覆われている。
【００４９】
すなわち、水中ポンプ３の吸引口の周囲だけでなく、生海苔混合液収容槽２内の海苔原藻と水との混合液の中に配置される水中ポンプ３の全体が、水中ポンプ３とは分離されて生海苔混合液収容槽２内に配置されている水中ポンプ濾過カバー３０の濾過筒３２で外側から覆われている。
【００５０】
これによって、水中ポンプ３の吸引口に海苔原藻（海苔小葉）が吸引されることがないようにしている。
【００５１】
上述したように、図示の実施形態において、水中ポンプ３の周囲を外側から覆う、水中ポンプ濾過カバー３０の濾過筒３２は、図７、図８図示のように水中ポンプ３を外周側から覆い、濾過筒３２の上端３５は、生海苔混合液収容槽２内の液面１１ｃよりも上側に延びている。
【００５２】
これによって、水中ポンプ３の吸引口に海苔原藻（海苔小葉）が吸引されないようにしている。
【００５３】
なお、この実施形態では、濾過筒３２の底面３６は、板状にして、濾過筒３２の底面を塞いでいるが、底面３６も、カゴ（籠）状、網状あるいは、パンチングメタルなどとし、底面３６からも、水通過用の隙間を介して、水が、濾過筒３２内に流動する構成にすることもできる。
【００５４】
図１０は、底面３６の一部に、金網状部３６ａが形成されているものである。符号３６ａで示されている部分をパンチングメタル製としてもよい。
【００５５】
この実施形態では、上述したように、水中ポンプ濾過カバー３０は、生海苔混合液収容槽２に取り付け取り外し可能にしているが、生海苔混合液収容槽２に固定的に配備してもよい。
【００５６】
いずれにしても、濾過筒３２と支持枠体３１とからで構成されている水中ポンプ濾過カバー３０と、水中ポンプ３とは分離されている状態にあるので、水中ポンプ３を使用した後、水中ポンプ３や、濾過筒３２をはじめとする水中ポンプ濾過カバー３０の洗浄を、毎日行う場合にも、簡単に洗浄を行い、良好な衛生状態を保つことが可能である。
【００５７】
これにより、生海苔混合液収容槽２に配置されている水中ポンプ３及び、水中ポンプ３の吸引口に海苔原藻（海苔小葉）が吸引されることがないよう水中ポンプ３の吸引口の周囲を外側から覆う多孔部材である濾過筒３２に対する洗浄、等のメンテナンス処理を簡単・容易に行うことができ、濃度調整装置を安全、安心かつ、衛生的に維持し、使用することができる。
【００５８】
図８図示の実施形態によれば、生海苔混合液収容槽２内の海苔原藻と水との混合液の中に配置されている水中ポンプ３の周囲が、水中ポンプ濾過カバー３０の濾過筒３２で外側から覆われている構造であるので、水中ポンプ３は、濾過筒３２とは分離された状態で生海苔混合液収容槽２内に配置されて所定の排水処理を行うことになる。
【００５９】
そして、濃度調整装置の使用後、あるいは、稼働中であっても稼働をいったん停止して、前記のように互いに分離して生海苔混合液収容槽２内に配置されている、水中ポンプ３及び、濾過筒３２を、それぞれ、別々に、生海苔混合液収容槽２から取り出して洗浄することが可能である。
【００６０】
この実施形態では、濾過筒３２と支持枠体３１とからで構成されている水中ポンプ濾過カバー３０において、濾過筒３２は支持枠体３１内に収容されて、支持される構造であるので、支持枠体３１が生海苔混合液収容槽２に固定されていることにより、濾過筒３２と支持枠体３１とからで構成されている水中ポンプカバー３０が生海苔混合液収容槽２に固定されている場合であっても、水中ポンプ３を生海苔混合液収容槽２から取り出して洗浄し、濾過筒３２も支持枠体３１から抜き取って洗浄し、支持枠体３１のみを、生海苔混合液収容槽２内に収容されている生海苔混合液１１ａを排出してから、十分に、丁寧に洗浄することができる。
【００６１】
これらの際、水中ポンプ３は、濾過筒３２内に収容されていただけであって、濾過筒３２との間で固定されている関係にないので、水中ポンプ３と、水中ポンプ濾過カバー３０あるいは、水中ポンプ濾過カバー３０を構成する濾過筒３２との間の固定状態を解除する、等の手間や、固定解除して洗浄した後の再固定などの手間は不要である。
【００６２】
そこで、水中ポンプ３及び、濾過筒３２と支持枠体３１とからで構成されている水中ポンプ濾過カバー３０の洗浄に十分な時間、労力を割り当て、十分な注意を払ってこれらを丁寧に洗浄することが可能である。これにより、濃度調整装置を、安全、安心かつ、衛生的に維持し、使用することが可能になる。
【００６３】
これによって、衛生上の観点から乾海苔製品に残存する生菌数にまで注意が払われるようになっている今日においても、このような要請に十分こたえ得る、安全、安心、かつ衛生的に維持、使用することが可能な海苔混合液の濃度調整装置を提供することができる。
【００６４】
図９は、他の実施形態を説明するものである。
【００６５】
図９図示の実施形態は、支持枠体を用いない水中ポンプ濾過カバー３０ａである。
【００６６】
図９図示の実施形態の水中ポンプ濾過カバー３０ａは、図１〜図８を用いて説明した実施形態の水中ポンプ濾過カバー３０における濾過筒３２の上端開口に蓋部４３が配備され、この蓋部４３によって、濾過筒３２の上端開口が密閉封鎖されているものである。
【００６７】
図示の実施形態では、濾過筒３２の上端開口と蓋部４３との間は、蓋部４３が備えているパッキン４７によって密閉封鎖されている。
【００６８】
蓋部４３は、濾過筒３２に対して脱着可能（取り付け、取り外し可能）となっており、図示の実施形態では、濾過筒３２の上端開口及び、蓋部４３において円周方向に所定の間隔をあけて配備されている緊締具４８によって、両者の間の緊締及び、その解除が可能になっている。
【００６９】
図１〜図８を用いて説明した実施形態の水中ポンプ濾過カバー３０と同じく、水中ポンプ濾過カバー３０ａは、濾過筒３２の内側に水中ポンプ３を収容した状態で、生海苔と水との混合液である生海苔混合液の中に配置されて使用される。
【００７０】
ステンレス製の蓋部４３の上部には、水中ポンプ３から伸びていて水中ポンプ３が吸引する水が排出されていく排水ホース４が挿通する筒体４４が配備されている。水中ポンプ３を制御・駆動するためのコード４９も筒体４４内を挿通している。
【００７１】
筒体４４は、例えば、蓋部４３と同じく、ステンレス製、あるいは、塩化ビニール、等の合成樹脂製にすることができる。
【００７２】
図９図示のように、水中ポンプ３による水の吸引・排出中、蓋部４３の上面は生海苔混合液の水面１１ｃより下側に位置し、一方、筒体４４の上端が生海苔混合液の水面１１ｃより上側にまで伸びている。
【００７３】
筒体４４は、その内部を、排水ホース４と、コード４９とが挿通しているだけであるので、蓋部４３及び、濾過筒３２の外周径に比較してその外周径は非常に小さい。
【００７４】
生海苔混合液収容槽２内に収容されている生海苔混合液が流動することによって水面１１ｃに泡が発生することがある。
【００７５】
この場合、この実施形態では、水面１１ｃを通過しているのは、比較的径が小さい筒体４４でしかないので、泡が発生しても、それは、生海苔混合液収容槽２内で、水面１１ｃのほぼ全面で廻ることになる。
【００７６】
そこで、図１〜図８図示の実施形態のように、大径の濾過筒３２が、水面１１ｃで所定の大きさの面積を占めている場合に比較すると、比較的短時間で、簡単に泡が消えてゆく。
【００７７】
図９図示の実施形態では、蓋部４３に取付金具４５が配備されていて、ボルト４６等の取付具を用いて、生海苔混合液収容槽２の壁面に蓋部４３を取り付け、取り外し可能とし、これによって、水中ポンプ濾過カバー３０ａを、生海苔混合液収容槽２に対して取り付け、取り外し可能にしている。
【００７８】
図示の実施形態とは異なり、図示していないが、蓋部４３は取付金具を備えていない構造にし、上端開口が蓋部４３によって密閉封鎖されている濾過筒３２が、図１〜図８の実施形態と同様に、支持枠体３１の内側に収容されて支持され、この支持枠体３１に取り付け金具が配備されていることによって、水中ポンプ濾過カバー３０ａが、生海苔混合液収容槽２に対して取り付け、取り外し可能になっている構成にすることもできる。
【００７９】
いずれにしても、濾過筒３２から構成されている水中ポンプ濾過カバー３０ａと、水中ポンプ３とは分離されている状態にあるので、水中ポンプ３を使用した後、水中ポンプ３や、濾過筒３２をはじめとする水中ポンプ濾過カバー３０ａの洗浄を、毎日行う場合にも、簡単に洗浄を行い、良好な衛生状態を保つことが可能である。
【００８０】
これにより、生海苔混合液収容槽２に配置されている水中ポンプ３及び、水中ポンプ３の吸引口に海苔原藻（海苔小葉）が吸引されることがないよう水中ポンプ３の吸引口の周囲を外側から覆う多孔部材である濾過筒３２に対する洗浄、等のメンテナンス処理を簡単・容易に行うことができ、濃度調整装置を安全、安心かつ、衛生的に維持し、使用することができる。
【００８１】
図９図示の実施形態によれば、生海苔混合液収容槽２内の海苔原藻と水との混合液の中に配置されている水中ポンプ３の周囲が、水中ポンプ濾過カバー３０ａの濾過筒３２で外側から覆われている構造であるので、水中ポンプ３は、濾過筒３２とは分離された状態で生海苔混合液収容槽２内に配置されて所定の排水処理を行うことになる。
【００８２】
そして、濃度調整装置の使用後、あるいは、稼働中であっても稼働をいったん停止して、前記のように互いに分離して生海苔混合液収容槽２内に配置されている、水中ポンプ３及び、濾過筒３２を、それぞれ、別々に、生海苔混合液収容槽２から取り出して洗浄することが可能である。
【００８３】
水中ポンプ３は、濾過筒３２内に収容されていただけであって、濾過筒３２との間で固定されている関係にないので、水中ポンプ３と、水中ポンプ濾過カバー３０ａあるいは、水中ポンプ濾過カバー３０ａを構成する濾過筒３２との間の固定状態を解除する、等の手間や、固定解除して洗浄した後の再固定などの手間は不要である。
【００８４】
そこで、水中ポンプ３及び、濾過筒３２から構成されている水中ポンプ濾過カバー３０ａの洗浄に十分な時間、労力を割り当て、十分な注意を払ってこれらを丁寧に洗浄することが可能である。これにより、濃度調整装置を、安全、安心かつ、衛生的に維持し、使用することが可能になる。
【００８５】
これによって、衛生上の観点から乾海苔製品に残存する生菌数にまで注意が払われるようになっている今日においても、このような要請に十分こたえ得る、安全、安心、かつ衛生的に維持、使用することが可能な海苔混合液の濃度調整装置を提供することができる。
【００８６】
以上、添付図面を参照して本考案の実施形態を説明したが本考案はこれらに限られるものではなく、実用新案登録請求の範囲の記載から把握される技術的範囲において種々の形態に変更可能である。
【００８７】
例えば、海から採取してきた、海苔、めかぶ、わかめ、ひじき、とさかのり、等の海藻類については、これらを商品化、製品化するにあたり、微小生物（エビや虫）、貝殻の破片、砂、ゴミ、などや、珪藻、よごれ、ぬめりを除去する洗浄処理が行われる。この際、前記海藻類と水（例えば、海水）との混合液を洗浄処理槽に収容し、ここで、撹拌・流動を生起させて、上述した異物などを取り除く処理が行われる。
【００８８】
この際、濾過筒の内側に水中ポンプを収容した状態の本実施形態に係る水中ポンプ濾過カバーを前記洗浄処理槽内に配置し、当該水中ポンプにより、水の吸引、排出を行うことができる。
【００８９】
ここでは、本実施形態に係る水中ポンプ濾過カバーの濾過筒が備えている濾過隙間（水通過用の隙間）の大きさを、上記のように取り除かれた異物などが排出水として前記洗浄処理槽から外部へ排出されていく際に通過するフィルター部濾過隙間（排出水通過用の隙間）の大きさよりも小さくしておく、例えば、直径０．１〜１．５ｍｍの大きさに相当する開口又は網目にしておくことによって、本実施形態に係る水中ポンプ濾過カバーの濾過筒における濾過隙間に上述した海藻類が詰まったり、上述した異物が水中ポンプ濾過カバーの濾過筒における濾過隙間に突き刺さる、等の不具合が生じることを防止できる。
【符号の説明】
【００９０】
１    濃度調整機本体
２    生海苔混合液収容槽
３    水中ポンプ
４    排水ホース
５    水供給槽
６    給水ポンプ
７    給水パイプ
８    ノズル
９ａ、９ｂ  移送パイプ
１０  センサ
１１ａ  生海苔混合液
１１ｂ  水
１１ｃ  生海苔混合液の水面
３０  水中ポンプ濾過カバー
３０ａ  水中ポンプ濾過カバー
３１  支持枠体
３２  濾過筒
３３ａ、３３ｂ、３３ｃ、３３ｄ  縦支持ロッド
３４ａ  上部支持リング、
３４ｂ  下部支持リング
３５  濾過筒の上端
３５ａ  底部横支持ロッド
３５ｂ  底部横支持ロッド
３６  濾過筒の底面
３７  濾過筒の周壁
３８ａ、３８ｂ  連結片部
３８  取付板
３８ｂ  取付溝
３９  取付金具、
４０  取付けボルト、
４１  取付けナット
４２  取付具
４３    蓋部
４４    筒体
４５    取付金具
４６    ボルト
４７    パッキン
４８    緊締具
４９    コード
【図１】
0003196914.tif 000003
【図２】
0003196914.tif 000004
【図３】
0003196914.tif 000005
【図４】
0003196914.tif 000006
【図５】
0003196914.tif 000007
【図６】
0003196914.tif 000008
【図７】
0003196914.tif 000009
【図８】
0003196914.tif 000010
【図９】
0003196914.tif 000011
【図１０】
0003196914.tif 000012